(57)【要約】【要  約】  【課  題】簡単な構成でＨ型鋼の大梁に両側から小梁を締結して取付け、小梁の引張り強度を向上した大梁小梁の接合装置を提供することを目的とする。  【解決手段】大梁１と、この大梁１を挟んで対向する小梁５と１０のエンドプレート９と１４を取付けボルト１５で前記大梁１に取付けると共に、一方の小梁５のエンドプレート９とウェーブ２とで形成される隅角と大梁１を挟んで対向する他方の小梁１０のエンドプレート１４とウェーブ１１とで形成される隅角に補強部材１７を配設し、この補強部材１７を介して補強ボルト１８を斜めに締結するようにした構成としたものである。また、補強ボルト１８を互い違いに複数個所配設し、さらに補強部材１８に曲面座受け２２を形成すると共に補強ボルト１８に曲面座金２１を設けた構成としたものである。【選択図】図１
2010001651.tif 000002
【特許請求の範囲】
【請求項１】
大梁と、この大梁を挟んで対向する小梁のエンドプレートを取付けボルトで前記大梁に取付けると共に、一方の小梁のエンドプレートとウェーブとで形成される隅角と大梁を挟んで対向する他方の小梁のエンドプレートとウェーブとで形成される隅角に補強部材を配設し、この補強部材を介して補強ボルトを斜めに締結するようにしたことを特徴とする大梁小梁の接合装置。
【請求項２】
補強ボルトを互い違いに複数個所配設したことを特徴とする請求項１記載の大梁小梁の接合装置。
【請求項３】
補強部材に曲面座受けを形成すると共に補強ボルトに曲面座金を設けたことを特徴とする請求項１記載の大梁小梁の接合装置。
【発明の詳細な説明】
【技術分野】
【０００１】
本発明は、Ｈ型鋼の大梁に両側から小梁を締結して取付けるようにした大梁小梁の接合装置に関する。
【背景技術】
【０００２】
近年、建設業界においてビルや強度を必要とする建築物にＨ型鋼を使用することは当然のことであり、Ｈ型鋼の大梁に小梁をボルト等で締結したり溶接して取付けるようにした大梁小梁の接合方法や接合構造が多数提案されている。なかでも比較的簡単な接合構造として、Ｈ型鋼の大梁の上下フランジ部に継ぎ金物を取付け、この側面に両側の対向する小梁のエンドプレートをボルトで締結して取付けるようにした接合構造が開示されている。さらにこの構造では小梁の引張り強度が弱いのでＨ型鋼の大梁のウェーブ部に補助金物を取付け、小梁のエンドプレートをこの補助金物にもボルトで締結して強度を向上させるようにした接合構造も開示されている。（例えば、特許文献１参照）
【特許文献１】特開平８−６０７３９号  公報
【発明の開示】
【発明が解決しようとする課題】
【０００３】
しかしながら上記従来の構成では、Ｈ型鋼の大梁に小梁を対向して取付ける場合に、大梁の上下フランジ部に継ぎ金物を取付け、さらに大梁のウェーブ部に補助金物を取付けておいて小梁のエンドプレートを継ぎ金物と補助金物にボルトで締結して取付けるため、別途継ぎ金物と補助金物が必要となり接合部構造が大きくなって周辺の構造との関係もあって不都合となる。また接合のための構造物が増加するし、このことによってコストも増加する要因ともなっていた。
【０００４】
本発明は上記従来の課題を解決するもので、簡単な構成でＨ型鋼の大梁に両側から小梁を締結して取付け、小梁の引張り強度を向上した大梁小梁の接合装置を提供することを目的とする。
【課題を解決するための手段】
【０００５】
上記課題を解決するために本発明の大梁小梁の接合装置は、大梁と、この大梁を挟んで対向する小梁のエンドプレートを取付けボルトで前記大梁に取付けると共に、一方の小梁のエンドプレートとウェーブとで形成される隅角と大梁を挟んで対向する他方の小梁のエンドプレートとウェーブとで形成される隅角に補強部材を配設し、この補強部材を介して補強ボルトを斜めに締結するようにした構成としたものである。従って、大梁を挟んで対向する小梁同士の略中央部が締結されるため小梁の引張り強度が向上するという作用を有することとなる。
【０００６】
また本発明の第２の大梁小梁の接合装置は、補強ボルトを互い違いに複数個所配設した構成としたものである。従って、上記した小梁の引張り強度がさらに向上するという作用を有することとなる。
【０００７】
さらに本発明の第３の大梁小梁の接合装置は、補強部材に曲面座受けを形成すると共に補強ボルトに曲面座金を設けた構成としたものである。従って、補強ボルトを締結すれば補強部材の曲面座受けに合致して取付けられるため締め付けミスが防止されるという作用を有することとなる。
【発明の効果】
【０００８】
本発明の大梁小梁の接合装置は、上記構成を備えたことにより、大梁を挟んで対向する小梁同士の略中央部も補強ボルトで締結されるため小梁の引張り強度が向上し、コスト高で手間のかかる溶接を使用することなく強固な接合構造が得られることになる。また、補強ボルトを互い違いに複数個所配設することにより上記した小梁の引張り強度がさらに向上することになる。さらには、補強部材に曲面座受けを形成すると共に補強ボルトに曲面座金を設けた構成としたため、補強ボルトを締結すれば補強部材の曲面座受けに合致して取付けられるため締め付けミスが防止できるといったような多くの作用効果が得られる。
【発明を実施するための最良の形態】
【０００９】
以下本発明の一実施の形態について、図面を参照しながら説明する。図１は本発明の大梁小梁の接合装置の要部断面平面図で、図２は分解斜視図である。両図において、１はＨ型鋼の大梁でウェーブ２の上下に上フランジ３と下フランジ４とより構成されている。５は一方の小梁でウェーブ６の上下に上フランジ７と下フランジ８とを有し、端部に取付板としてのエンドプレート９が一体的に構成されており、同様に他方の小梁１０もウェーブ１１の上下に上フランジ１２と下フランジ１３とを有し、端部に取付板としてのエンドプレート１４が一体的に構成されている。このようなＨ型鋼の大梁１に対向する小梁５と小梁１０とを接合するには、図１に示すように一方の小梁５のエンドプレート９と他方の小梁１０のエンドプレート１４とを大梁１のウェーブ２を挟んで対抗させ、両端近傍にそれぞれ取付けボルト１５とナット１６で締結する。
【００１０】
さらに本発明では、一方の小梁５のエンドプレート９とウェーブ６とで形成される隅角と大梁１のウェーブ２を挟んで対向する他方の小梁１０のエンドプレート１４とウェーブ１１とで形成される隅角に補強金具１７を配設し、この補強金具１７を介して補強ボルト１８とナット１９とで斜めに締結する。このとき大梁１のウェーブ２には予め図２に示すごとくバカ穴２０を形成しておけば締結がスムースになる。また、この補強ボルト構成を互い違いに複数個所配設すると、小梁５と１０の略中心部分が強固に締結されるため小梁の引張り強度がさらに向上する。また、各々の隅角に設けられる補強金具１７はウェーブとエンドプレート側面に当接するようにしてもよいが、溶接して一体化するとより強固になる。このようにボルト締結構造にすることによって、コスト高で手間のかかる溶接を使用することなく強固な接合ができるし建設現場での作業が簡単となることから小資材での運搬が可能となる。
【００１１】
つぎに、補強金具１７と補強ボルト１８の締結構成について図３と共に説明する。図３は補強金具と補強ボルトの要部拡大断面図で、補強ボルト１８には曲面座金２１が用いられており、この曲面と合致する曲面が補強金具１７に曲面座受け２２として形成されている。したがって、大梁小梁の接合に際して補強ボルト１８をねじ込んでいくと補強ボルト１８の曲面座金２１は補強金具１７の曲面座受け２２に合致しながら締結されることになり、ボルト穴を少し大きく形成していてもボルト穴中心で締結固定されることになる。
【産業上の利用可能性】
【００１２】
本発明の大梁小梁の接合装置は、Ｈ型鋼の大梁に両側から小梁を締結して取付け、小梁の引張り強度を向上するようにしたものでビルや強度を必要とする建築物等の建設業界において有用である。
【図面の簡単な説明】
【００１３】
【図１】本発明の大梁小梁の接合装置の要部断面平面図
【図２】本発明の大梁小梁の接合装置の分解斜視図
【図３】本発明の補強ボルトの要部拡大断面図
【符号の説明】
【００１４】
１    大梁
２    ウェーブ
５    小梁
６    ウェーブ
９    エンドプレート
１０    小梁
１１    ウェーブ
１４    エンドプレート
１５    取付けボルト
１６    ナット
１７    補強金具
１８    補強ボルト
１９    ナット
２０    バカ穴
２１    曲面座金
２２    曲面座受け
【図１】
2010001651.tif 000003
【図２】
2010001651.tif 000004
【図３】
2010001651.tif 000005